(57)【特許請求の範囲】
【請求項１】
直交周波数分割多元接続と符号分割多重接続の２方式に対応し、かつ、直交周波数分割多元接続および符号分割多重接続が共に利用可能なエリア内においては直交周波数分割多元接続を優先的に使用するようにした携帯端末と基地局との間で直交周波数分割多元接続信号および符号分割多重接続信号を中継するリピータ装置であって、
前記携帯端末の持ち込み先となる電磁遮蔽性の外郭を有する移動体に設置され、
基地局を対象として直交周波数分割多元接続信号および符号分割多重接続信号を送受信する外部用送受信アンテナと、
移動体内の携帯端末を対象として直交周波数分割多元接続信号および符号分割多重接続信号を送受信する内部用送受信アンテナと、
前記外部用送受信アンテナで受信される直交周波数分割多元接続信号の周波数のずれ、および、前記外部用送受信アンテナで受信される符号分割多重接続信号の干渉量を測定する測定部と、
前記測定部で測定された周波数のずれが予め設定された許容範囲を超え、かつ、前記測定部で測定された干渉量が予め設定された許容範囲内にあるか否かを判定する判定部と、
前記周波数のずれが予め設定された許容範囲を超え、かつ、前記干渉量が予め設定された許容範囲内にあると前記判定部が判定した場合に限って前記内部用送受信アンテナからの直交周波数分割多元接続信号の出力を停止させる一方、その他の場合には、前記内部用送受信アンテナからの直交周波数分割多元接続信号の出力および符号分割多重接続信号の出力を共に許容する信号主力制御部を備えたことを特徴とするリピータ装置。
【請求項２】
前記測定部は、前記外部用送受信アンテナで受信される直交周波数分割多元接続信号の周波数のずれを所定周期毎に測定し、
前記判定部は、前記周波数のずれが予め設定された回数を超えて連続的に設定値の範囲を超えた場合に周波数のずれが許容範囲を超えていると判定することを特徴とした請求項１記載のリピータ装置。
【請求項３】
前記測定部は、前記外部用送受信アンテナで受信される符号分割多重接続信号の干渉量を所定周期毎に測定し、
前記判定部は、時系列上で直近する最新の干渉量を予め設定されたサンプリング回数分だけ逐次更新して一時記憶し、前記所定周期毎に、前記サンプリング回数分の干渉量の平均値を求め、この平均値と現在の干渉量との偏差が許容範囲内にあるか否かを判定することを特徴とした請求項１記載のリピータ装置。
【請求項４】
直交周波数分割多元接続と符号分割多重接続の２方式に対応し、かつ、直交周波数分割多元接続および符号分割多重接続が共に利用可能なエリア内においては直交周波数分割多元接続を優先的に使用するようにした携帯端末と基地局との間で直交周波数分割多元接続信号および符号分割多重接続信号を中継するリピータ装置の中継制御方法であって、
前記携帯端末の持ち込み先となる電磁遮蔽性の外郭を有する移動体に基地局を対象として直交周波数分割多元接続信号および符号分割多重接続信号を送受信する外部用送受信アンテナと移動体内の携帯端末を対象として直交周波数分割多元接続信号および符号分割多重接続信号を送受信する内部用送受信アンテナを予め設置しておき、
前記外部用送受信アンテナで受信される直交周波数分割多元接続信号の周波数のずれ、および、前記外部用送受信アンテナで受信される符号分割多重接続信号の干渉量を逐次測定し、
その都度、前記周波数のずれが予め設定された許容範囲を超え、かつ、前記干渉量が予め設定された許容範囲内にあるか否かを判定し、
前記周波数のずれが予め設定された許容範囲を超え、かつ、前記干渉量が予め設定された許容範囲内にある場合に限って前記内部用送受信アンテナからの直交周波数分割多元接続信号の出力を停止させる一方、その他の場合には、前記内部用送受信アンテナからの直交周波数分割多元接続信号の出力および符号分割多重接続信号の出力を共に許容するようにしたことを特徴とするリピータ装置の中継制御方法。
【請求項５】
前記外部用送受信アンテナで受信される直交周波数分割多元接続信号の周波数のずれを所定周期毎に測定し、
前記周波数のずれが予め設定された回数を超えて連続的に設定値の範囲を超えた場合に周波数のずれが許容範囲を超えていると判定するようにしたことを特徴とする請求項４記載のリピータ装置の中継制御方法。
【請求項６】
前記外部用送受信アンテナで受信される符号分割多重接続信号の干渉量を所定周期毎に測定し、
時系列上で直近する最新の干渉量を予め設定されたサンプリング回数分だけ逐次更新して一時記憶し、前記所定周期毎に、前記サンプリング回数分の干渉量の平均値を求め、この平均値と現在の干渉量との偏差が許容範囲内にあるか否かを判定するようにしたことを特徴とする請求項４記載のリピータ装置の中継制御方法。
【発明の詳細な説明】
【技術分野】
【０００１】
本発明は、直交周波数分割多元接続と符号分割多重接続の２方式に対応し、かつ、直交周波数分割多元接続および符号分割多重接続が共に利用可能なエリア内においては直交周波数分割多元接続を優先的に使用するようにした携帯端末と基地局との間で直交周波数分割多元接続信号および符号分割多重接続信号を中継するリピータ装置、および、リピータ装置の中継制御方法に関する。
【背景技術】
【０００２】
移動体高速通信の通信規格であるＬＴＥ（Long Term Evolution＝ロング・ターム・エボリューション）を採用した携帯端末が既に公知である。
【０００３】
ＬＴＥを採用した携帯端末は、ＬＴＥの通信方式であるＯＦＤＭＡ接続（Orthogonal Frequency Division Multiple Access＝直交周波数分割多元接続）および従来の３Ｇの通信方式であるＣＤＭＡ接続（Code Division Multiple Access＝符号分割多重接続）の２方式に対応しており、ＬＴＥの利用が可能なエリア内ではＬＴＥの通信方式であるＯＦＤＭＡ接続を優先的に使用する一方、ＬＴＥのエリア外では従来と同様にＣＤＭＡ接続の通信方式を利用するように構成されている。
【０００４】
しかしながら、ＬＴＥのエリアを高速で走行する移動体の内部、例えば、新幹線や自動車の中で受信されるＯＦＤＭＡ信号は、ドップラー効果のために受信周波数の変化すなわち周波数ずれが生じてしまい、そのずれが大きく、信号の直交性が失われてしまうと、ＯＦＤＭＡ信号の復調後に大きな符号誤りが発生してしまう可能性がある。
【０００５】
これは、複数のユーザーにサブキャリアを共有させて夫々のユーザー毎に最も伝送効率のよいサブキャリアを割り当てることでデータ伝送効率および周波数利用効率の向上とマルチパス干渉に対する耐性の向上を図ったＯＦＤＭＡ接続の通信方式では、サブキャリアの周波数の制御がシビアなものとなり、その結果として、周波数の変化に対する耐性が相対的に劣化するといった構造的な特徴に起因する。
【０００６】
従って、携帯端末を携えて高速で移動する場合、携帯端末がＬＴＥのエリア内にあるからといって、単に通信の高速化が可能であるという理由のみでＯＦＤＭＡ接続の通信方式を利用するのは適当でない場合もある。
【０００７】
既に述べた通り、高速移動時にＯＦＤＭＡ信号を受信すると、ドップラー効果による受信周波数に変化（周波数のずれ）が生じる為、ＯＦＤＭＡ信号間の直交性を保つことが困難になるというのが其の理由である。
【０００８】
携帯端末の移動速度に応じて複数の通信方式の内から適切な通信方式を選択する技術としては、例えば、特許文献１に開示される無線通信システムが既に公知である。
特許文献１ではドップラー周波数を利用して携帯端末の移動速度を求める点について詳細に開示されているが、その目的は飽くまでも携帯端末の移動速度の算出にあり、受信周波数の変化が通信に及ぼす悪影響についての認識は全く認められない。
また、特許文献１に開示される無線通信システムでは通信方式の切り替え制御が携帯端末の内部処理によって行われるようになっているが、携帯端末が標準的に備える機能を利用して切り替え制御を行っているわけではないので、専用のハードウェアやソフトウェアを携帯端末に実装する必要がある。
しかも、個々の携帯端末毎にハードウェアやソフトウェアを実装する必要があるため、無線通信システム全体として見た場合の製造コストが嵩むといった不都合がある。
【先行技術文献】
【特許文献】
【０００９】
【特許文献１】特開２００４−２０８００１号公報（段落００５０，段落００５５，図２）
【発明の概要】
【発明が解決しようとする課題】
【００１０】
本発明は、特に、直交周波数分割多元接続と符号分割多重接続の２方式に対応し、かつ、直交周波数分割多元接続および符号分割多重接続が共に利用可能なエリア内においては直交周波数分割多元接続を優先的に使用するようにした携帯端末を含む無線通信システムに特化したものであり、その目的は、携帯端末自体に格別な措置を施さなくても、移動体に持ち込まれた携帯端末の移動速度に応じ、直交周波数分割多元接続と符号分割多重接続の２方式の内から常に適切な通信方式を自動的に選択して利用することのできるリピータ装置およびリピータ装置の中継制御方法を提供することにある。
【課題を解決するための手段】
【００１１】
本発明のリピータ装置は、直交周波数分割多元接続と符号分割多重接続の２方式に対応し、かつ、直交周波数分割多元接続および符号分割多重接続が共に利用可能なエリア内においては直交周波数分割多元接続を優先的に使用するようにした携帯端末と基地局との間で直交周波数分割多元接続信号および符号分割多重接続信号を中継するリピータ装置であり、前記目的を達成するため、特に、
前記携帯端末の持ち込み先となる電磁遮蔽性の外郭を有する移動体に設置され、
基地局を対象として直交周波数分割多元接続信号および符号分割多重接続信号を送受信する外部用送受信アンテナと、
移動体内の携帯端末を対象として直交周波数分割多元接続信号および符号分割多重接続信号を送受信する内部用送受信アンテナと、
前記外部用送受信アンテナで受信される直交周波数分割多元接続信号の周波数のずれ、および、前記外部用送受信アンテナで受信される符号分割多重接続信号の干渉量を測定する測定部と、
前記測定部で測定された周波数のずれが予め設定された許容範囲を超え、かつ、前記測定部で測定された干渉量が予め設定された許容範囲内にあるか否かを判定する判定部と、
前記周波数のずれが予め設定された許容範囲を超え、かつ、前記干渉量が予め設定された許容範囲内にあると前記判定部が判定した場合に限って前記内部用送受信アンテナからの直交周波数分割多元接続信号の出力を停止させる一方、その他の場合には、前記内部用送受信アンテナからの直交周波数分割多元接続信号の出力および符号分割多重接続信号の出力を共に許容する信号主力制御部を備えたことを特徴とする構成を有する。
【００１２】
また、本発明におけるリピータ装置の中継制御方法は、直交周波数分割多元接続と符号分割多重接続の２方式に対応し、かつ、直交周波数分割多元接続および符号分割多重接続が共に利用可能なエリア内においては直交周波数分割多元接続を優先的に使用するようにした携帯端末と基地局との間で直交周波数分割多元接続信号および符号分割多重接続信号を中継するリピータ装置の中継制御方法であり、前記と同様の目的を達成するため、
前記携帯端末の持ち込み先となる電磁遮蔽性の外郭を有する移動体に基地局を対象として直交周波数分割多元接続信号および符号分割多重接続信号を送受信する外部用送受信アンテナと移動体内の携帯端末を対象として直交周波数分割多元接続信号および符号分割多重接続信号を送受信する内部用送受信アンテナを予め設置しておき、
前記外部用送受信アンテナで受信される直交周波数分割多元接続信号の周波数のずれ、および、前記外部用送受信アンテナで受信される符号分割多重接続信号の干渉量を逐次測定し、
その都度、前記周波数のずれが予め設定された許容範囲を超え、かつ、前記干渉量が予め設定された許容範囲内にあるか否かを判定し、
前記周波数のずれが予め設定された許容範囲を超え、かつ、前記干渉量が予め設定された許容範囲内にある場合に限って前記内部用送受信アンテナからの直交周波数分割多元接続信号の出力を停止させる一方、その他の場合には、前記内部用送受信アンテナからの直交周波数分割多元接続信号の出力および符号分割多重接続信号の出力を共に許容するようにしたことを特徴とする構成を有する。
【発明の効果】
【００１３】
外部用送受信アンテナによって受信される直交周波数分割多元接続信号の周波数のずれと外部用送受信アンテナで受信される符号分割多重接続信号の干渉量を測定し、直交周波数分割多元接続信号の周波数のずれが予め設定された許容範囲を超え、かつ、符号分割多重接続信号の干渉量が予め設定された許容範囲内にあるか否かを判定し、直交周波数分割多元接続信号の周波数のずれが予め設定された許容範囲を超え、かつ、符号分割多重接続信号の干渉量が予め設定された許容範囲内にある場合に限って内部用送受信アンテナからの直交周波数分割多元接続信号の出力を停止させる一方、その他の場合には、内部用送受信アンテナからの直交周波数分割多元接続信号の出力および符号分割多重接続信号の出力を共に許容するようにしているので、携帯端末を持ち込んだ移動体が高速で移動することによって外部用送受信アンテナで受信される直交周波数分割多元接続信号の周波数のずれが大きくなり直交周波数分割多元接続を利用した通信が不適な状態となった条件下でのみ内部用送受信アンテナからの直交周波数分割多元接続信号の出力が停止され、符号分割多重接続信号の出力のみが許容されることになる。
携帯端末を持ち込んだ移動体は電磁遮蔽性の外郭を備えているので、高速移動中の移動体の内部に直交周波数分割多元接続信号が入り込むことはなく、リピータ装置の内部用送受信アンテナから送出される符号分割多重接続信号のみが携帯端末に伝達されることになるので、携帯端末は、其れ自体が標準的に備える切り替え機能によって自動的かつ容易に符号分割多重接続を選択することができ、しかも、通信に適さない状態となっている直交周波数分割多元接続信号が携帯端末に外乱として伝達されることがないので、安定した環境で符号分割多重接続を実施することができる。
一方、外部用送受信アンテナによって受信される直交周波数分割多元接続信号の周波数のずれが予め設定された許容範囲内にある場合には、内部用送受信アンテナからの直交周波数分割多元接続信号の出力および符号分割多重接続信号の出力が共に許容されるので、携帯端末を持ち込んだ移動体の移動速度が遅いために外部用送受信アンテナで受信される直交周波数分割多元接続信号の周波数のずれが小さく、直交周波数分割多元接続を利用した通信が適切に行なえるような状態下では、内部用送受信アンテナからの直交周波数分割多元接続信号の出力および符号分割多重接続信号の出力が共に許容され、携帯端末は、其れ自体が標準的に備える切り替え機能によって優先的に直交周波数分割多元接続を選択して高速の通信を行なうことができる。
しかも、リピータ装置は携帯端末の持ち込み先となる移動体に設置されているので、携帯端末自体に格別な措置を施さなくても、移動体に持ち込まれた携帯端末の移動速度に応じて直交周波数分割多元接続と符号分割多重接続の２方式の内から常に適切な通信方式を自動的に選択して利用することができる。
また、携帯端末が標準的に備える機能を利用して切り替え制御を行うようにしているため、専用のハードウェアやソフトウェアを携帯端末に実装する必要がなく、無線通信システム全体として見た場合の製造コストを低く抑えることができる。
【図面の簡単な説明】
【００１４】
【図１】本発明を適用した一実施形態の無線通信システムの構成について簡略化して示したブロック図である。
【図２】同無線通信システムの一部を構成するリピータ装置の構成の概略を示した機能ブロック図である。
【図３】同リピータ装置の信号受信・判定部が備えるマイクロプロセッサが所定周期毎に繰り返し実行する信号主力制御処理の概略について示したフローチャートである。
【図４】信号主力制御処理の概略について示したフローチャートの続きである。
【図５】信号主力制御処理の概略について示したフローチャートの続きである。
【発明を実施するための形態】
【００１５】
次に、本発明を実施するための形態について一例を挙げ、図面を参照して具体的に説明する。
【００１６】
図１は本発明を適用した一実施形態の無線通信システムの構成について簡略化して示したブロック図である。
【００１７】
この実施形態の無線通信システム１は、ＯＦＤＭＡ接続（Orthogonal Frequency Division Multiple Access＝直交周波数分割多元接続）の通信方式に対応したＬＴＥ基地局２と、ＣＤＭＡ接続（Code Division Multiple Access＝符号分割多重接続）の通信方式に対応した３Ｇ基地局３と、ＯＦＤＭＡ接続およびＣＤＭＡ接続の２方式に対応し、かつ、ＯＦＤＭＡ接続およびＣＤＭＡ接続が共に利用可能なエリア内においてはＯＦＤＭＡ接続を優先的に使用するようにした携帯電話等の携帯端末４と、ＬＴＥ基地局２と携帯端末４との間で直交周波数分割多元接続信号（以下、ＯＦＤＭＡ信号という）を中継する機能および３Ｇ基地局３と携帯端末４との間で符号分割多重接続信号（以下、ＣＤＭＡ信号という）を中継する機能を兼ね備えたリピータ装置５によって構成される。
【００１８】
リピータ装置５は、携帯端末４の持ち込み先となる移動体６に設置され、移動体６は電磁遮蔽性の外郭７を備えている。
【００１９】
ここでいう移動体６は、ＯＦＤＭＡ信号の受信周波数にドップラー効果による影響を与える程度の高速移動が可能な移動体、例えば、新幹線を始めとする電車や高速走行が可能な自動車等の乗り物である。
【００２０】
リピータ装置５の構成の概略を図２の機能ブロック図に示す。
【００２１】
この実施形態のリピータ装置５は、移動体６の外郭７から外側に突出してＬＴＥ基地局２を対象としてＯＦＤＭＡ信号を送受信する外部用送受信アンテナ８ａと、同じく外郭７から外側に突出して３Ｇ基地局３を対象としてＣＤＭＡ信号を送受信する外部用送受信アンテナ８ｂを備え、更に、移動体６の外郭７よりも内側に位置して携帯端末４を対象としてＯＦＤＭＡ信号を送受信する内部用送受信アンテナ９ａと、同じく外郭７よりも内側に位置して携帯端末４を対象としてＣＤＭＡ信号を送受信する内部用送受信アンテナ９ｂを有する。
リピータ装置５は、更に、ＬＴＥ基地局２から送信されて外部用送受信アンテナ８ａで受信されるＯＦＤＭＡ信号の周波数のずれや３Ｇ基地局３から送信されて外部用送受信アンテナ８ｂで受信されるＣＤＭＡ信号の干渉量を測定する測定部、および、測定されたＯＦＤＭＡ信号の周波数のずれが予め設定された許容範囲を超え、かつ、測定されたＣＤＭＡ信号の干渉量が予め設定された許容範囲内にあるか否かを判定する判定部として機能する信号受信・判定部１０を備え、信号受信・判定部１０の判定部から出力される判定信号を受け、ＯＦＤＭＡ信号の周波数のずれが予め設定された許容範囲を超え、かつ、ＣＤＭＡ信号の干渉量が予め設定された許容範囲内にあることが明らかとなった場合に限って内部用送受信アンテナ９ａからのＯＦＤＭＡ信号の出力を停止させる一方、その他の場合には、内部用送受信アンテナ９ａからのＯＦＤＭＡ信号の出力および内部用送受信アンテナ９ｂからのＣＤＭＡ信号の出力を共に許容する信号主力制御部１１を備える。
また、リピータ装置５は、外部用送受信アンテナ８ａで受信されて信号受信・判定部１０および信号主力制御部１１を介して伝送されるＯＦＤＭＡ信号や外部用送受信アンテナ８ｂで受信されて信号受信・判定部１０および信号主力制御部１１を介して伝送されるＣＤＭＡ信号を復調し増幅して内部用送受信アンテナ９ａや内部用送受信アンテナ９ｂから送出する一方、携帯端末４から送信されて内部用送受信アンテナ９ａで受信されたＯＦＤＭＡ信号や携帯端末４から送信されて内部用送受信アンテナ９ｂで受信されたＣＤＭＡ信号を受信し電力増幅して外部用送受信アンテナ８ａや外部用送受信アンテナ８ｂを介してＬＴＥ基地局２や３Ｇ基地局３に送信するリピータ本体部１２を備える。
【００２２】
信号主力制御部１１は、具体的には、信号受信・判定部１０の判定部からの判定信号を受け、ＯＦＤＭＡ信号の周波数のずれが予め設定された許容範囲を超え、かつ、ＣＤＭＡ信号の干渉量が予め設定された許容範囲内にあることが明らかとなった場合に、外部用送受信アンテナ８ａから信号受信・判定部１０を介して伝送されるＯＦＤＭＡ信号（共通チャネルを含む）をリピータ本体部１２に転送することを停止することによって、内部用送受信アンテナ９ａからのＯＦＤＭＡ信号の出力を停止させる。
【００２３】
この実施形態の信号受信・判定部１０は、少なくとも、マイクロプロセッサと、其の制御プログラム等を格納したＲＯＭと、各種のパラメータ等を記憶するための不揮発性メモリと、演算データの一時記憶等に用いられるＲＡＭを備える。
【００２４】
信号受信・判定部１０のＲＯＭには、外部用送受信アンテナ８ａで受信されるＯＦＤＭＡ信号の実質的な周波数つまり移動体６の高速移動に起因したドップラー効果による影響を含んだ周波数の値を所定周期Ｔ毎に算出し、ドップラー効果を伴わない本来の周波数との偏差つまり周波数のずれΔｆを求めるために利用される公知のプログラム（以下、周波数ずれ算出プログラムという）と、外部用送受信アンテナ８ｂで受信されるＣＤＭＡ信号の干渉量Ｓを所定周期Ｔ毎に測定するために利用される公知のプログラム（以下、干渉量算出プログラムという）が格納されている。
【００２５】
この実施形態では、特に、判定部として機能する信号受信・判定部１０によって、外部用送受信アンテナ８ａで受信されたＯＦＤＭＡ信号の周波数のずれΔｆが予め設定された回数ｍを超えて連続的に設定値αの範囲を超えたことが検知された場合にＯＦＤＭＡ信号の周波数のずれが許容範囲を超えているものと判定するようにしている。
また、判定部として機能する信号受信・判定部１０によって、時系列上で直近する最新のＣＤＭＡ信号の干渉量を予め設定されたサンプリング回数ｎ回分だけ逐次更新して一時記憶し、サンプリング周期と同じ所定周期Ｔ毎に最新のサンプリング回数ｎ回分の干渉量の平均値Ｓ’を求め、この平均値Ｓ’と現在の干渉量Ｓとの偏差ΔＳを算出し、この偏差ΔＳが設定値βの範囲内にある場合にＣＤＭＡ信号の干渉量が予め設定された許容範囲内にあるものと判定するようにしている。
なお、ＯＦＤＭＡ信号の周波数のずれΔｆの異常判定に利用する設定値αの値と、αを超える周波数のずれが連続して発生する回数を許容する設定値ｍの値は、ＯＦＤＭＡ接続による通信が適切に行なわれる範囲の限界値として予め実験的に求め、また、最新のＣＤＭＡ信号の干渉量を記憶すべきサンプリングの回数ｎの値，最新のｎ回分のＣＤＭＡ信号の干渉量の平均値Ｓ’と現在の干渉量Ｓとの偏差ΔＳを許容する判定基準となる設定値βの値も、ＣＤＭＡ接続による通信が適切に行なわれる範囲の限界値として予め実験的に求めておくものとする。
【００２６】
そして、信号受信・判定部１０の不揮発性メモリには、外部用送受信アンテナ８ａで受信されたＯＦＤＭＡ信号の周波数のずれΔｆの異常判定に利用される設定値αの値と、設定値αを超えるＯＦＤＭＡ信号の周波数のずれが連続して発生する回数を許容する設定値ｍと、最新のＣＤＭＡ信号の干渉量を記憶すべきサンプリングの回数ｎと、最新のｎ回分のＣＤＭＡ信号の干渉量の平均値Ｓ’と現在の干渉量Ｓとの偏差ΔＳを許容する判定基準となる設定値βの値が各々不揮発的に記憶されている。
【００２７】
また、信号受信・判定部１０のＲＡＭの記憶領域の一部は、時系列上で直近する最新のＣＤＭＡ信号の干渉量を逐次更新してサイクリックに一時記憶するためのレジスタＲ１，レジスタＲ２，レジスタＲ３，・・・，レジスタＲｎ、設定値αを超える周波数のずれが連続して発生する回数を計数するための連続回数計数用カウンタＣ、ＯＦＤＭＡ信号の周波数のずれが許容範囲を超えた状態となっているか否かを記憶するための周波数ずれ状態記憶フラグＦｆ、新たに測定した干渉量Ｓの記憶先とすべきレジスタを特定するためのレジスタ特定指標ｉ、ＣＤＭＡ信号の干渉量のサンプリング数が必要数ｎに達しているか否かを記憶するためのサンプリング状態記憶フラグＦｎ、ＣＤＭＡ信号の干渉量が許容範囲内となった状態が維持されているか否かを記憶するための干渉状態記憶フラグＦｓ等として利用される。
【００２８】
図３〜図５は信号受信・判定部１０のマイクロプロセッサが所定周期Ｔ毎に繰り返し実行する信号主力制御処理の概略について示したフローチャートである。
【００２９】
次に、図３〜図５のフローチャートを参照して、この実施形態におけるリピータ装置５の全体的な処理動作について説明する。
【００３０】
リピータ装置５に電源が投入されると、信号受信・判定部１０のマイクロプロセッサは、まず、設定値αを超える周波数のずれが連続して発生する回数を計数するための連続回数計数用カウンタＣの値と、この処理周期のステップａ２の処理で新たに測定される干渉量Ｓの記憶先とすべきレジスタＲｉ（但し、ｉ＝１〜ｎの整数）を特定するためのレジスタ特定指標ｉの値と、ＯＦＤＭＡ信号の周波数のずれが許容範囲を超えた状態となっているか否かを記憶するための周波数ずれ状態記憶フラグＦｆの値と、ＣＤＭＡ信号の干渉量が許容範囲内となった状態が維持されているか否かを記憶するための干渉状態記憶フラグＦｓの値と、ＣＤＭＡ信号の干渉量のサンプリング数が必要数ｎに達しているか否かを記憶するためのサンプリング状態記憶フラグＦｎの値を共に０に初期化する（ステップａ１）。
但し、周波数ずれ状態記憶フラグＦｆは値０によってＯＦＤＭＡ信号の周波数のずれが許容範囲内にあることを示し、干渉状態記憶フラグＦｓは値０によってＣＤＭＡ信号の干渉量が許容範囲を超えていることを示し、サンプリング状態記憶フラグＦｎは値０によってＣＤＭＡ信号の干渉量のサンプリング数が必要数ｎに満たないことを示すものとする。
ステップａ１の処理は電源投入時の初期化処理として起動時に１回のみ実行される処理であり、実際に所定周期Ｔ毎に繰り返されるのは、ステップａ２以降の信号主力制御処理の部分である。
【００３１】
次いで、測定部として機能する信号受信・判定部１０のマイクロプロセッサが、公知の周波数ずれ算出プログラムを起動し、現時点で外部用送受信アンテナ８ａによって受信されているＯＦＤＭＡ信号の周波数のずれΔｆを求める（ステップａ２）。周波数のずれを求めるための処理については既に公知である。
【００３２】
そして、判定部として機能する信号受信・判定部１０のマイクロプロセッサは、この周波数のずれΔｆの値が異常判定用の設定値αの値を超えているか否かを判定する（ステップａ３）。
【００３３】
ステップａ３の判定結果が真となって周波数のずれΔｆの値が異常判定用の設定値αの値を超えていることが明らかとなった場合には、判定部として機能する信号受信・判定部１０のマイクロプロセッサは、連続回数計数用カウンタＣの値を１インクリメントし（ステップａ４）、連続回数計数用カウンタＣの現在値がＯＦＤＭＡ信号の周波数のずれの連続発生を許容するための判定値である設定値ｍの値を超えているか否かを判定する（ステップａ５）。
【００３４】
ここで、連続回数計数用カウンタＣの現在値が設定値ｍの値を超えていれば、判定部として機能する信号受信・判定部１０のマイクロプロセッサは、ＯＦＤＭＡ信号の周波数のずれが許容範囲を超えた状態となったことを示す値１を周波数ずれ状態記憶フラグＦｆに設定する（ステップａ６）。
また、これとは逆に、連続回数計数用カウンタＣの現在値が設定値ｍの値を超えていない場合には、判定部として機能する信号受信・判定部１０のマイクロプロセッサは、ＯＦＤＭＡ信号の周波数のずれが許容範囲内となった状態が維持されていることを示す値０を周波数ずれ状態記憶フラグＦｆに設定する（ステップａ８）。
【００３５】
これに対し、ステップａ３の判定結果が偽となって周波数のずれΔｆの値が異常判定用の設定値αの値を超えていないことが明らかとなった場合には、判定部として機能する信号受信・判定部１０のマイクロプロセッサは、連続回数計数用カウンタＣの現在値に関わりなく、その値を改めて０に初期化し（ステップａ７）、ＯＦＤＭＡ信号の周波数のずれが許容範囲内となっていることを示す値０を周波数ずれ状態記憶フラグＦｆに設定する（ステップａ８）。
【００３６】
従って、周波数ずれ状態記憶フラグＦｆに値１がセットされるのは、連続回数計数用カウンタＣの値が途中で初期化されることなく設定値ｍを超えた場合、つまり、周波数のずれΔｆの値が異常判定用の設定値αの値を超える現象が連続してｍ回より多く繰り返された場合だけである。
【００３７】
次いで、測定部として機能する信号受信・判定部１０のマイクロプロセッサが、公知の干渉量算出プログラムを起動し、現時点で外部用送受信アンテナ８ｂによって受信されているＣＤＭＡ信号の干渉量Ｓを求める（ステップａ９）。干渉量を求めるための処理については既に公知である。
【００３８】
そして、信号受信・判定部１０のマイクロプロセッサは、この処理周期のステップａ２の処理で新たに測定された干渉量Ｓの記憶先とすべきレジスタを特定するためのレジスタ特定指標ｉの値を１インクリメントし（ステップａ１０）、レジスタ特定指標ｉの現在値が、最新のＣＤＭＡ信号の干渉量を逐次更新して一時記憶するために予め準備されているレジスタの個数ｎを超えているか否か、つまり、干渉量Ｓの記憶先とすべきレジスタがｉの値によって適切に指定されているか否かを判定する（ステップａ１１）。
【００３９】
レジスタ特定指標ｉの現在値がレジスタの個数ｎを超えていなければ新たに求められた干渉量Ｓの記憶先として適切なレジスタが指定されていることを意味するので、信号受信・判定部１０のマイクロプロセッサは、ステップａ１２の処理をスキップし、ステップａ１０の処理で更新されたレジスタ特定指標ｉの値を其のまま保持する。
また、レジスタ特定指標ｉの現在値がレジスタの個数ｎを超えている場合には、新たに求められた干渉量Ｓの記憶先として適切なレジスタが指定されていないことを意味するので、信号受信・判定部１０のマイクロプロセッサは、レジスタ特定指標ｉの値を改めて１に再設定し、当該処理周期のステップａ９の処理で新たに測定された干渉量Ｓの記憶先としてレジスタＲ１を再指定する（ステップａ１２）。
【００４０】
次いで、信号受信・判定部１０のマイクロプロセッサは、サンプリング状態記憶フラグＦｎがセットされているか否か、つまり、ＣＤＭＡ信号の干渉量のサンプリング数が必要数ｎに達しているか否かを判定する（ステップａ１３）。
【００４１】
サンプリング状態記憶フラグＦｎがセットされていない場合にはＣＤＭＡ信号の干渉量のサンプリング数が必要数ｎに満たないこと、つまり、最新ｎ回分の干渉量の平均を求めることが論理的に不能であることを意味するので、信号受信・判定部１０のマイクロプロセッサは、干渉量の平均値Ｓ’の算出に関わる処理を行なうことなく、この処理周期のステップａ９の処理で新たに求められたＣＤＭＡ信号の干渉量Ｓの値を、レジスタ特定指標ｉの値で特定されるレジスタＲｉに其のまま記憶させる（ステップａ１４）。
【００４２】
次いで、信号受信・判定部１０のマイクロプロセッサは、レジスタ特定指標ｉの現在値、要するに、電源の投入によってサンプリングを開始してからのＣＤＭＡ信号の干渉量のサンプリング回数が、必要数ｎに達しているか否かを判定する（ステップａ１５）。
なお、電源投入後のサンプリング処理は無制限に繰り返し実行されるので、ｉ＝１〜ｎの範囲でサイクリックにインクリメントされるレジスタ特定指標ｉの現在値と電源投入後の総サンプリング回数の値とは一般に一致しないが、ステップａ１５の判定処理は、ステップａ１３の判定処理からも明らかなように、サンプリング状態記憶フラグＦｎがセットされていない状況下、つまり、ＣＤＭＡ信号の干渉量のサンプリング数が必要数ｎを越えていない状況下でのみ実行されるので、この場合、つまり、サンプリング回数≦ｎの条件下に限っては、レジスタ特定指標ｉの現在値と電源投入後の総サンプリング回数の値とが完全に一致する。
【００４３】
そして、ステップａ１５の判定結果が偽となった場合には、サンプリングを開始してからのＣＤＭＡ信号の干渉量のサンプリング回数がサンプリングの必要数ｎに達していないことを意味するので、信号受信・判定部１０のマイクロプロセッサは、ステップａ１６の処理をスキップし、ＣＤＭＡ信号の干渉量のサンプリング数が必要数ｎに満たないことを示す値０をサンプリング状態記憶フラグＦｎに其のまま保持させる。
また、ステップａ１５の判定結果が真となり、サンプリングを開始してからのＣＤＭＡ信号の干渉量のサンプリング回数が必要数ｎに達したことが明らかとなった場合には、信号受信・判定部１０のマイクロプロセッサは、ＣＤＭＡ信号の干渉量のサンプリング数が必要数ｎだけ揃ったことを示す値１をサンプリング状態記憶フラグＦｎに再設定する（ステップａ１６）。
【００４４】
次いで、信号受信・判定部１０のマイクロプロセッサは、周波数ずれ状態記憶フラグＦｆおよび干渉状態記憶フラグＦｓが共にセットされているか否か、つまり、ＯＦＤＭＡ信号の周波数のずれが許容範囲を超え、かつ、ＣＤＭＡ信号の干渉量が許容範囲内にあるか否かを判定する（ステップａ１７）。
【００４５】
但し、ＣＤＭＡ信号の干渉量のサンプリング数が必要数ｎに満たない処理周期、あるいは、ＣＤＭＡ信号の干渉量のサンプリング数が必要数ｎに達した時点での処理周期にあっては、干渉状態記憶フラグＦｓの再設定に関わる処理（具体的には後述するステップａ２３とステップａ２５の処理）が依然として未実行であって、干渉状態記憶フラグＦｓの値は初期値０に保持されているので、必然的にステップａ１７の判定結果は偽となる。
【００４６】
従って、このような状況下、つまり、リピータ装置５に電源が投入された直後の一瞬の時間帯、より具体的には、ＣＤＭＡ信号の干渉量のサンプリング数が必要数ｎを超えるまでの時間帯に限り、信号受信・判定部１０のマイクロプロセッサは、信号主力制御部１１に対し、内部用送受信アンテナ９ａからのＯＦＤＭＡ信号の出力および内部用送受信アンテナ９ｂからのＣＤＭＡ信号の出力を共に許容する旨の判定信号を無条件に出力することになる（ステップａ１９）。
【００４７】
そして、前記と同様にしてステップａ２〜ステップａ１５に至る処理とステップａ１７およびステップａ１９の処理を所定周期Ｔ毎の信号主力制御処理で選択的に繰り返し実行する間に、ステップａ１５の判定結果が真となって、電源投入後のＣＤＭＡ信号の干渉量のサンプリング数ｉが必要数ｎに達したことが確認されると、信号受信・判定部１０のマイクロプロセッサは、平均値Ｓ’の算出に必要とされるｎ個のＣＤＭＡ信号の干渉量のサンプリング値が揃ったことを示す値１を、サンプリング状態記憶フラグＦｎに再設定する（ステップａ１６）。
【００４８】
この結果、次周期以降の信号主力制御処理ではステップａ１３の判定結果が定常的に偽となり、前述のステップａ１４〜ステップａ１６に代わる処理として、ステップａ２０〜ステップａ２５の処理が所定周期Ｔ毎に繰り返し実行されることになる。
【００４９】
この場合、判定部として機能する信号受信・判定部１０のマイクロプロセッサは、時系列上で直近する最新のＣＤＭＡ信号の干渉量を予め設定されたサンプリング回数ｎ回分だけ逐次更新してサイクリックに一時記憶しているレジスタＲ１〜レジスタＲｎの値を全て読み込み（ステップａ２０）、レジスタＲ１〜レジスタＲｎに記憶されている最新ｎ回分の干渉量の値を全て加算してサンプリング数ｎで除すことにより、最新のサンプリング回数ｎ回分の干渉量の平均値Ｓ’を求める（ステップａ２１）。
【００５０】
但し、この処理周期のステップａ９の処理で新たに測定された干渉量Ｓは、この時点では未だレジスタＲ１〜Ｒｎの何れにも記憶されていないので、ここでいう最新のサンプリング回数ｎ回分の干渉量の平均値Ｓ’は、現在の処理周期を除いた過去ｎ回分の処理周期でレジスタＲ１〜レジスタＲｎに記憶された干渉量の平均値である。
【００５１】
次いで、判定部として機能する信号受信・判定部１０のマイクロプロセッサは、平均値Ｓ’と当該処理周期のステップａ９の処理で新たに測定された現在の干渉量Ｓとの偏差ΔＳ＝｜Ｓ−Ｓ’｜を求め、この偏差ΔＳが設定値βの範囲内にあるか否かを判定し（ステップａ２２）、偏差ΔＳが設定値βの範囲内にあれば、ＣＤＭＡ信号の干渉量が予め設定された許容範囲内にあることを示す値１を干渉状態記憶フラグＦｓに設定し（ステップａ２３）、また、偏差ΔＳが設定値βの範囲を超えていれば、ＣＤＭＡ信号の干渉量が予め設定された許容範囲を超えていることを示す値０を干渉状態記憶フラグＦｓに設定する（ステップａ２５）。
【００５２】
そして、信号受信・判定部１０のマイクロプロセッサは、この処理周期のステップａ９の処理で新たに求められたＣＤＭＡ信号の現在の干渉量Ｓの値を、レジスタ特定指標ｉの値で特定されるレジスタＲｉに改めて更新記憶させる（ステップａ２４）。
【００５３】
次いで、判定部として機能する信号受信・判定部１０のマイクロプロセッサは、周波数ずれ状態記憶フラグＦｆおよび干渉状態記憶フラグＦｓが共にセットされているか否か、つまり、ＯＦＤＭＡ信号の周波数のずれが許容範囲を超え、かつ、ＣＤＭＡ信号の干渉量が許容範囲内にあるか否かを判定する（ステップａ１７）。
【００５４】
そして、ステップａ１７の判定結果が真となってＯＦＤＭＡ信号の周波数のずれが許容範囲を超え、かつ、ＣＤＭＡ信号の干渉量が許容範囲内にあることが明らかとなった場合には、判定部として機能する信号受信・判定部１０のマイクロプロセッサが、信号主力制御部１１に対し、内部用送受信アンテナ９ａからのＯＦＤＭＡ信号の出力を停止して内部用送受信アンテナ９ｂからのＣＤＭＡ信号の出力のみを許容する旨の判定信号を出力する（ステップａ１８）。
そして、これを受けた信号主力制御部１１が、外部用送受信アンテナ８ａから信号受信・判定部１０を介して伝送されるＯＦＤＭＡ信号（共通チャネルを含む）をリピータ本体部１２に転送することを停止することによって、内部用送受信アンテナ９ａからのＯＦＤＭＡ信号の出力を停止させ、内部用送受信アンテナ９ｂからのＣＤＭＡ信号の出力のみを許容する。
【００５５】
また、ステップａ１７の判定結果が偽となった場合、つまり、ＯＦＤＭＡ信号の周波数のずれが許容範囲内にあることが明らかとなった場合には、判定部として機能する信号受信・判定部１０のマイクロプロセッサが、信号主力制御部１１に対し、内部用送受信アンテナ９ａからのＯＦＤＭＡ信号の出力および内部用送受信アンテナ９ｂからのＣＤＭＡ信号の出力を共に許容する旨の判定信号を出力する（ステップａ１９）。
そして、これを受けた信号主力制御部１１が、内部用送受信アンテナ９ａからのＯＦＤＭＡ信号の出力および内部用送受信アンテナ９ｂからのＣＤＭＡ信号の出力を共に許容する。
【００５６】
従って、携帯端末４を持ち込んだ移動体６が高速で移動することによって外部用送受信アンテナ８ａで受信されるＯＦＤＭＡ信号の周波数のずれΔｆが大きくなりＯＦＤＭＡ接続を利用した通信が不適となって復調後の符号誤りが大きくなる恐れのある条件下、つまり、ステップａ１７の判定結果が真となった条件下でのみ内部用送受信アンテナ９ａからのＯＦＤＭＡ信号の出力が停止されてＣＤＭＡ信号の出力のみが許容されることになる。
携帯端末４を持ち込んだ移動体６は電磁遮蔽性の外郭７を備えているので、高速移動中の移動体６の内部にＯＦＤＭＡ信号（共通チャネルを含む）が入り込むことはなく、リピータ装置５の内部用送受信アンテナ９ｂから送出されるＣＤＭＡ信号のみが携帯端末４に伝達されることになるので、携帯端末４は、其れ自体が標準的に備える切り替え機能つまりＬＴＥの圏外判定機能によって自動的かつ容易にＣＤＭＡ接続を選択することができ、しかも、移動体６が電磁遮蔽性の外郭７を備えていることから、通信に適さない状態となっているＯＦＤＭＡ信号が携帯端末４に外乱として伝達されることはないので、安定した環境でＣＤＭＡ接続を実施することができる。
特に、最新のサンプリング回数ｎ回分のＣＤＭＡ信号の干渉量の平均値Ｓ’と新たに測定された現在の干渉量Ｓとの偏差ΔＳ＝｜Ｓ−Ｓ’｜を求め、この偏差ΔＳが設定値βの範囲内にあって干渉状態記憶フラグＦｓに値１が設定されている状況下、つまり、ＣＤＭＡ接続が明らかに可能であってステップａ１７の判定結果が真となった場合に限って内部用送受信アンテナ９ａからのＯＦＤＭＡ信号の出力を停止するようにしているので、ＣＤＭＡ接続が不可能な状況下で無闇にＣＤＭＡ信号の出力が停止されるといった無駄な動作が未然に防止される。
【００５７】
一方、外部用送受信アンテナ８ａによって受信されるＯＦＤＭＡ信号の周波数のずれΔｆが予め設定された許容範囲内にある場合、つまり、ステップａ１７の判定結果が偽となった場合には、内部用送受信アンテナ９ａからのＯＦＤＭＡ信号の出力および内部用送受信アンテナ９ｂからのＣＤＭＡ信号の出力が共に許容されるので、携帯端末４を持ち込んだ移動体６の移動速度が遅いために外部用送受信アンテナ８ａで受信されるＯＦＤＭＡ信号の周波数のずれΔｆが小さく、ＯＦＤＭＡ接続を利用した通信が適切に行なえるような状態下では、内部用送受信アンテナ９ａからのＯＦＤＭＡ信号の出力および内部用送受信アンテナ９ｂからのＣＤＭＡ信号の出力が共に許容され、携帯端末４は、其れ自体が標準的に備える切り替え機能つまりＬＴＥの圏内判定機能によって優先的にＯＦＤＭＡ接続を選択して高速の通信を行なうことができる。
無論、このような状況下にあっては、ＬＴＥの圏内判定機能を無視し、携帯端末４の利用者による手動操作によってＣＤＭＡ接続を強制的に選択するといったことも可能である。
【００５８】
しかも、リピータ装置５は携帯端末４の持ち込み先となる移動体６に設置されているので、携帯端末４自体に格別な措置を施さなくても、移動体６に持ち込まれた携帯端末４の移動速度に応じてＯＦＤＭＡ接続とＣＤＭＡ接続の２方式の内から常に適切な通信方式を自動的に選択して利用することができる。
また、携帯端末４が標準的に備える機能であるＬＴＥの圏外判定機能と圏内判定機能を利用して接続方式の切り替え制御を行うようにしているため、専用のハードウェアやソフトウェアを携帯端末４に実装する必要がなく、無線通信システム１全体として見た場合の製造コストを低く抑えることができる。
【００５９】
この実施形態では、外部用送受信アンテナ８ａで受信されたＯＦＤＭＡ信号の周波数のずれΔｆが予め設定された回数ｍを超えて連続的に設定値αの範囲を超えた場合にＯＦＤＭＡ信号の周波数のずれが許容範囲を超えたものと判定することにより、ＯＦＤＭＡ接続を利用した通信が不適となった状態を高い精度で検知するようにしているが、例えば、外部用送受信アンテナ８ａで受信されたＯＦＤＭＡ信号の周波数のずれΔｆが設定値αを超えた最初の時点でＯＦＤＭＡ信号の周波数のずれが予め設定された許容範囲を超えたものと判定するように構成するといったことも可能である。但し、移動体６が高速で移動していることを確実に判定するためには、ＯＦＤＭＡ信号の周波数のずれΔｆが予め設定された回数ｍを超えて連続的に設定値αの範囲を超えたことを通信の不適化の判定基準とすることが望ましい。
また、最新のサンプリング回数ｎ回分のＣＤＭＡ信号の干渉量の平均値Ｓ’と新たに測定された現在の干渉量Ｓとの偏差ΔＳ＝｜Ｓ−Ｓ’｜を求め、この偏差ΔＳが設定値βの範囲内にあるか否かによってＣＤＭＡ接続の適否を判定する代わりに、例えば、新たに測定された現在の干渉量Ｓと判定用の閾値との大小関係を直接的に比較することによってＣＤＭＡ接続の適否を判定するといった構成を採用することも可能である。但し、ＣＤＭＡ接続に切り替えても問題ないことを確実に判定するためには、適切なサンプリング回数ｎ回分のＣＤＭＡ信号の干渉量の平均値Ｓ’と新たに測定された現在の干渉量Ｓとの偏差ΔＳ＝｜Ｓ−Ｓ’｜を求めて適切な設定値βと比較することが望ましい。
周波数のずれΔｆに基くＯＦＤＭＡ接続の適否判定や干渉量Ｓに基くＣＤＭＡ接続の適否判定には様々な統計処理の技術を転用することが可能である。
【００６０】
また、この実施形態では、信号受信・判定部１０がマイクロプロセッサ，ＲＯＭ，ＲＡＭ，不揮発性メモリ等を備えた構造であることから、この信号受信・判定部１０を、ＬＴＥ基地局２から送信されて外部用送受信アンテナ８ａで受信されるＯＦＤＭＡ信号の周波数のずれや３Ｇ基地局３から送信されて外部用送受信アンテナ８ｂで受信されるＣＤＭＡ信号の干渉量を測定する測定部、および、測定されたＯＦＤＭＡ信号の周波数のずれが予め設定された許容範囲を超え、かつ、測定されたＣＤＭＡ信号の干渉量が予め設定された許容範囲内にあるか否かを判定する判定部として機能させているが、測定部と判定部をハードウェア的に独立させた構成を採用しても構わない。
【００６１】
以上に開示した実施形態の一部または全部は、以下の付記に示す記載によって適切に表現され得るが、発明を実施するための形態や発明の技術思想は、これらのものに制限されるものではない。
【００６２】
〔付記１〕
直交周波数分割多元接続と符号分割多重接続の２方式に対応し、かつ、直交周波数分割多元接続および符号分割多重接続が共に利用可能なエリア内においては直交周波数分割多元接続を優先的に使用するようにした携帯端末と基地局との間で直交周波数分割多元接続信号および符号分割多重接続信号を中継するリピータ装置であって、
前記携帯端末の持ち込み先となる電磁遮蔽性の外郭を有する移動体に設置され、
基地局を対象として直交周波数分割多元接続信号および符号分割多重接続信号を送受信する外部用送受信アンテナと、
移動体内の携帯端末を対象として直交周波数分割多元接続信号および符号分割多重接続信号を送受信する内部用送受信アンテナと、
前記外部用送受信アンテナで受信される直交周波数分割多元接続信号の周波数のずれ、および、前記外部用送受信アンテナで受信される符号分割多重接続信号の干渉量を測定する測定部と、
前記測定部で測定された周波数のずれが予め設定された許容範囲を超え、かつ、前記測定部で測定された干渉量が予め設定された許容範囲内にあるか否かを判定する判定部と、
前記周波数のずれが予め設定された許容範囲を超え、かつ、前記干渉量が予め設定された許容範囲内にあると前記判定部が判定した場合に限って前記内部用送受信アンテナからの直交周波数分割多元接続信号の出力を停止させる一方、その他の場合には、前記内部用送受信アンテナからの直交周波数分割多元接続信号の出力および符号分割多重接続信号の出力を共に許容する信号主力制御部を備えたことを特徴とするリピータ装置。
【００６３】
〔付記２〕
前記測定部は、前記外部用送受信アンテナで受信される直交周波数分割多元接続信号の周波数のずれを所定周期毎に測定し、
前記判定部は、前記周波数のずれが予め設定された回数を超えて連続的に設定値の範囲を超えた場合に周波数のずれが許容範囲を超えていると判定することを特徴とした付記１記載のリピータ装置。
【００６４】
〔付記３〕
前記測定部は、前記外部用送受信アンテナで受信される符号分割多重接続信号の干渉量を所定周期毎に測定し、
前記判定部は、時系列上で直近する最新の干渉量を予め設定されたサンプリング回数分だけ逐次更新して一時記憶し、前記所定周期毎に、前記サンプリング回数分の干渉量の平均値を求め、この平均値と現在の干渉量との偏差が許容範囲内にあるか否かを判定することを特徴とした付記１記載のリピータ装置。
【００６５】
〔付記４〕
直交周波数分割多元接続と符号分割多重接続の２方式に対応し、かつ、直交周波数分割多元接続および符号分割多重接続が共に利用可能なエリア内においては直交周波数分割多元接続を優先的に使用するようにした携帯端末と基地局との間で直交周波数分割多元接続信号および符号分割多重接続信号を中継するリピータ装置の中継制御方法であって、
前記携帯端末の持ち込み先となる電磁遮蔽性の外郭を有する移動体に基地局を対象として直交周波数分割多元接続信号および符号分割多重接続信号を送受信する外部用送受信アンテナと移動体内の携帯端末を対象として直交周波数分割多元接続信号および符号分割多重接続信号を送受信する内部用送受信アンテナを予め設置しておき、
前記外部用送受信アンテナで受信される直交周波数分割多元接続信号の周波数のずれ、および、前記外部用送受信アンテナで受信される符号分割多重接続信号の干渉量を逐次測定し、
その都度、前記周波数のずれが予め設定された許容範囲を超え、かつ、前記干渉量が予め設定された許容範囲内にあるか否かを判定し、
前記周波数のずれが予め設定された許容範囲を超え、かつ、前記干渉量が予め設定された許容範囲内にある場合に限って前記内部用送受信アンテナからの直交周波数分割多元接続信号の出力を停止させる一方、その他の場合には、前記内部用送受信アンテナからの直交周波数分割多元接続信号の出力および符号分割多重接続信号の出力を共に許容するようにしたことを特徴とするリピータ装置の中継制御方法。
【００６６】
〔付記５〕
前記外部用送受信アンテナで受信される直交周波数分割多元接続信号の周波数のずれを所定周期毎に測定し、
前記周波数のずれが予め設定された回数を超えて連続的に設定値の範囲を超えた場合に周波数のずれが許容範囲を超えていると判定するようにしたことを特徴とする付記４記載のリピータ装置の中継制御方法。
【００６７】
〔付記６〕
前記外部用送受信アンテナで受信される符号分割多重接続信号の干渉量を所定周期毎に測定し、
時系列上で直近する最新の干渉量を予め設定されたサンプリング回数分だけ逐次更新して一時記憶し、前記所定周期毎に、前記サンプリング回数分の干渉量の平均値を求め、この平均値と現在の干渉量との偏差が許容範囲内にあるか否かを判定するようにしたことを特徴とする付記４記載のリピータ装置の中継制御方法。
【産業上の利用可能性】
【００６８】
本発明は、直交周波数分割多元接続と符号分割多重接続の２方式に対応し、かつ、直交周波数分割多元接続および符号分割多重接続が共に利用可能なエリア内においては直交周波数分割多元接続を優先的に使用するようにした携帯端末たとえば携帯電話等を含む無線通信システムに適用できる。
【符号の説明】
【００６９】
１  無線通信システム
２  ＬＴＥ基地局
３  ３Ｇ基地局
４  携帯端末
５  リピータ装置
６  移動体
７  外郭
８ａ，８ｂ  外部用送受信アンテナ
９ａ，９ｂ  内部用送受信アンテナ
１０  信号受信・判定部（測定部，判定部）
１１  信号主力制御部
１２  リピータ本体部
Δｆ  周波数のずれ
α  周波数のずれの異常判定に利用される設定値
Ｃ  設定値を超える周波数のずれが連続して発生する回数を計数する連続回数計数用カウンタ
ｍ  周波数のずれが連続して発生する回数を許容する設定値
Ｆｆ  周波数ずれ状態記憶フラグ
Ｓ  干渉量
ｎ  干渉量を記憶すべきサンプリングの回数（レジスタの個数）
Ｒ１〜Ｒｉ〜Ｒｎ  レジスタ
ｉ  レジスタ特定指標（サンプリング回数≦ｎの状況下では干渉量のサンプリング回数と同値）
Ｆｎ  サンプリング状態記憶フラグ
Ｓ’  最新の干渉量の平均値
ΔＳ  干渉量の平均値と現在の干渉量との偏差
β  干渉量の平均値と現在の干渉量との偏差を許容する判定基準となる設定値
Ｆｓ  干渉状態記憶フラグ
【図１】
0005736998.tif 000002
【図２】
0005736998.tif 000003
【図３】
0005736998.tif 000004
【図４】
0005736998.tif 000005
【図５】
0005736998.tif 000006